(57)【要約】【目的】  電池残容量が所定レベルを下回ることによる付加機能の制限処理が行われるときに当該制限状態にあることをユーザに予め認識させることができる携帯型電話装置を提供する。【構成】  携帯型電話装置３０は付加機能としてＴＶ視聴機能を備える。電池７は携帯型電話装置３０の各回路に電源を供給する。電池７はベースバンドチップ３の制御により、チューナ４への電源供給を遮断することができる。電池残量監視装置１１は電池残容量を示すデータを出力する。ベースバンドチップ３は電池残量監視装置１１が出力する前記データを読み取ることで、電池７の残容量を知得する。そして、電池７の残容量が所定値を下回ったときにＴＶ視聴機能の実行を不許可（チューナ４への電源供給を遮断）とすると共に、表示装置６においてメニューやアイコン表示をそれまでの表示と異ならせる処理を行う。【選択図】      図１
2005151117.tif 000002
【特許請求の範囲】
【請求項１】
付加機能を備えた携帯型電話装置において、電池の残容量を監視して残容量が所定値を下回ったときに付加機能の全部又は一部の実行を不許可とする手段と、付加機能不許可状態と付加機能許可状態とで対応付加機能を起動するためのメニューの表示態様を異ならせる手段と、を備えたことを特徴とする携帯型電話装置。
【請求項２】
請求項１に記載の携帯型電話装置において、前記メニューの項目上を移動するカーソルが、前記付加機能不許可状態では対応する付加機能項目上を通り過ぎるように構成されたことを特徴とする携帯型電話装置。
【請求項３】
請求項１又は請求項２に記載の携帯型電話装置において、前記付加機能不許可状態では対応する付加機能項目を非表示又は薄色表示とするように構成されたことを特徴とする携帯型電話装置。
【請求項４】
付加機能を備えた携帯型電話装置において、付加機能の存在又は付加機能の状態を表すアイコンを表示する表示部と、電池の残容量を監視して残容量が所定値を下回ったときに付加機能の全部又は一部の実行を不許可とする手段と、付加機能不許可状態と付加機能許可状態とで前記アイコンの表示態様を異ならせる手段と、を備えたことを特徴とする携帯型電話装置。
【請求項５】
請求項４に記載の携帯型電話装置において、付加機能として放送受信視聴機能を備え、前記アイコンとして放送受信感度を表すアイコンを表示し、放送受信視聴機能不許可状態と放送受信視聴機能許可状態とで前記アイコンの表示態様を異ならせることを特徴とする携帯型電話装置。
【請求項６】
請求項１乃至請求項５のいずれかに記載の携帯型電話装置において、付加機能の実行中にも電池の残容量を監視して残容量が所定値を下回ったときには実行中の付加機能を強制的に終了するように構成されたことを特徴とする携帯型電話装置。
【発明の詳細な説明】
【技術分野】
【０００１】
この発明は、ＴＶ視聴機能等の付加機能を備えた携帯型電話装置に関する。
【背景技術】
【０００２】
ＴＶ（テレビジョン）視聴機能が設けられた携帯電話機でＴＶ視聴を行うときには、通常の電話の待ち受け時や通話時、或いは、メールの送受信時に比べて消費電力が多くなるのが一般的である。ＴＶ視聴を続けると電池が消耗し、最終的には携帯電話機の動作ができなくなる。すなわち、電話の待ち受けや通話、或いはメール送受信という、携帯電話機本来の機能が付加機能であるＴＶ視聴によって実行できなくなる。そこで、このような不具合を解決するものとして、電池の残容量がある所定のレベルを下回ったときにＴＶ視聴を不許可とする端末が提案されている（特許文献１参照）。
【特許文献１】特開平１１−１８４５７６号公報
【発明の開示】
【発明が解決しようとする課題】
【０００３】
しかしながら、上記従来の端末では、電池の残容量が所定レベルを下回るときでも、ＴＶ視聴機能を起動するメニューやアイコンの表示態様は通常時と同じであるため、ユーザは実際にＴＶ視聴機能を起動してみないとＴＶが視聴できるか否か分からないとう不満がある。
【０００４】
この発明は、上記事情に鑑み、電池残容量が所定レベルを下回ることによる付加機能の制限処理が行われるときに当該制限状態にあることをユーザに予め認識させることができる携帯型電話装置を提供することを目的とする。
【課題を解決するための手段】
【０００５】
この発明の携帯型電話装置は、上記の課題を解決するために、付加機能を備えた携帯型電話装置において、電池の残容量を監視して残容量が所定値を下回ったときに付加機能の全部又は一部の実行を不許可とする手段と、付加機能不許可状態と付加機能許可状態とで対応付加機能を起動するためのメニューの表示態様を異ならせる手段と、を備えたことを特徴とする。
【０００６】
上記の構成であれば、電池残容量が所定レベルを下回ることによる付加機能の制限処理が行われるときに当該制限状態にあることをメニューの表示態様の相違によってユーザに予め認識させることができる。
【０００７】
前記メニューの項目上を移動するカーソルが、前記付加機能不許可状態では対応する付加機能項目上を通り過ぎるように構成されているのがよい。また、前記付加機能不許可状態では対応する付加機能項目を非表示又は薄色表示とするように構成されているのがよい。
【０００８】
また、この発明の携帯型電話装置は、付加機能を備えた携帯型電話装置において、付加機能の存在又は付加機能の状態を表すアイコンを表示する表示部と、電池の残容量を監視して残容量が所定値を下回ったときに付加機能の全部又は一部の実行を不許可とする手段と、付加機能不許可状態と付加機能許可状態とで前記アイコンの表示態様を異ならせる手段と、を備えたことを特徴とする。かかる構成においても、電池残容量が所定レベルを下回ることによる付加機能の制限処理が行われるときに当該制限状態にあることをアイコンの表示態様の相違によってユーザに予め認識させることができる。前記付加機能として放送受信視聴機能を備え、前記アイコンとして放送受信感度を表すアイコンを表示し、放送受信視聴機能不許可状態と放送受信視聴機能許可状態とで前記アイコンの表示態様を異ならせることとしてもよい。
【０００９】
これら構成の携帯型電話装置において、付加機能の実行中にも電池の残容量を監視して残容量が所定値を下回ったときには実行中の付加機能を強制的に終了するように構成されていてもよい。
【発明の効果】
【００１０】
この発明によれば、電池残容量が所定レベルを下回ることによる付加機能の制限処理が行われるときに当該制限状態にあることをメニューやアイコンの表示態様の相違によってユーザに予め認識させることができるという効果を奏する。
【発明を実施するための最良の形態】
【００１１】
以下、この発明の実施形態を図１乃至図１０に基づいて説明する。
【００１２】
図１は、この発明の放送受信機能付き携帯型電話装置３０を示した構成図である。１はテレビ放送波を受信するアンテナであり、２は携帯電話の電波を送受信するアンテナである。構成によっては２つの電波を受ける上記アンテナ１・２を共通化し得る。
【００１３】
チューナモジュール４はディジタルテレビ放送波を受信して変調波を復調する処理等を行う。アプリケーションプロセッサ（ＡＰＰ）５は、テレビ電話、メール送受信、ホームページ閲覧、ディジタルテレビ受信処理などの各種処理を行う。このアプリケーションプロセッサ５はチューナモジュール４から復調データを受け取って映像／音声を生成する機能、記録媒体による録画／再生のための機能、その他ディジタルテレビの操作に必要な機能を実行するものであり、これら各種の処理を行うためのＣＰＵ、ＭＰＥＧ４などの映像データのデコーダ、ＡＡＣなどの音声データのデコーダを行う処理回路が複合化されたＬＳＩから成る。
【００１４】
ベースバンドチップ（ＢＢ）３は、携帯電話の発着信、通話、ネットワーク接続などの制御を行うものであり、携帯電話に必要な変復調、信号処理、通話処理を行う各種回路とＣＰＵとが複合化されたＬＳＩから成る。
【００１５】
ベースバンドチップ３にはメモリ９が接続されており、アプリケーションプロセッサ５にはメモリ１０が接続されている。前記メモリ９・１０はプログラムや設定データを保存するフラッシュメモリと作業用に使用されるＤＲＡＭとで構成されている。表示装置６は、ベースバンドチップ３およびアプリケーションプロセッサ５に接続され、それぞれの処理の結果を表示する。入力装置８は後述する各種キーを備えて成り、ベースバンドチップ３に接続されている。
【００１６】
電池７は携帯型電話装置３０の各回路に電源を供給する。電池７はベースバンドチップ３の制御により、チューナ４への電源供給を遮断することができる。なお、チューナ４への電源供給遮断に替えて、アプリケーションプロセッサ５への電源供給遮断を行うこととしてもよい。電池残量監視装置１１は電池残容量を示すデータを出力する。ベースバンドチップ３は電池残量監視装置１１が出力する前記データを読み取ることで、電池７の残容量を知得する。
【００１７】
図２は、表示装置６の表示領域及び入力装置８におけるキー配置を表した説明図である。領域６１はアンテナ感度などの機器の状態を表示する状態表示領域である。領域６２は、ベースバンドチップ３やアプリケーションプロセッサ４の処理の結果（放送受信映像画面、メール画面、メニュー画面等）を表示する領域である。領域６３は装置の状態などのステータスを表示する領域である。入力装置８には、メニューキー８１、十字キー（ＯＫキー付き）８２、クリア（ＣＬＲ）キー８３、電源キー８４などが設けられている。前記十字キー（ＯＫキー付き）８２の上下左右方向キー部分を押下すると、上方、下方、左方、右方にそれぞれカーソルを移動させることができ、中央部をまっすぐ下向きに押すことでＯＫキーとなる。
【００１８】
図３（ａ）乃至（ｄ）はそれぞれ状態表示領域６１の表示状態を表した図である。この領域６１にはＴＶの電波受信レベルを表すアイコン６１３、携帯電話の電波受信レベルを表すアイコン６１２、電池の残容量を表すアイコン６１１の３つが表示されている。それぞれのアイコンは電波の受信レベル及び電池の残容量を３段階で表している。ＴＶ受信レベルを表すアイコン６１３は３つの円弧で電波の状態を表し、一番強い状態のときは３本（同図（ａ）参照）、中程度のときは２本（同図（ｂ）参照）、一番弱い状態のときは１本となる。更に、全く受信できないときは「×」を表示するようにしている（同図（ｃ）参照）。そして、電池残量が不足しているためにＴＶの視聴ができないときは、同図（ｄ）に示しているように、「×」の下に３つの矩形部を全て白抜きにした電池のアイコンを表示することで、電池残量不足でＴＶ視聴ができないことを表している。
【００１９】
携帯電話用のアイコン６１２では、長さの違う３本の矩形部を塗りつぶすことで電波の強さを表す。電池の残容量用のアイコン６１１では、電池の絵の中にある３つの矩形部を塗りつぶすことで、残容量の大きさを表す。
【００２０】
図４（ａ）（ｂ）は領域６２上のメインメニュー表示でカーソル６２１が表示されている状態を表した説明図である。例えば、待ち受け画面から「メニュー」キーが操作されてメインメニューが表示されたときに、図４（ａ）に示すように一番上のメニュー項目である「１．電話設定」にカーソルが置かれる。また、図４（ａ）では、電池残容量に関してＴＶ視聴ができる状態を想定しており、「５．ディジタルテレビ」通常の表示がなされている。そして、十字キー８２の操作によって「５．ディジタルテレビ」の項目上にカーソル６２１を移動させることができる。一方、図４（ｂ）では、電池残容量に関してＴＶ視聴ができない状態を想定しており、「５．ディジタルテレビ」の項目はグレー表示（薄色表示）になっている。なお、非表示としてもよい。これにより、電池残量不足のためＴＶ視聴ができない状態になっていることをユーザは知ることができる。また、カーソル６２１は「５．ディジタルテレビ」の項目上には表示されない（通過してしまう）処理がなされる。また、このとき、領域６１においては、先述した図３（ｄ）に示した表示が行われることになる。
【００２１】
次のこの携帯型電話装置３０が、電池残量を定期的にチェックしながら、ＴＶ視聴動作の可否を決定し、メニューやアイコンの表示を変更する動作を、図５乃至図１０のフローチャートに基づいて説明していく。かかる動作は、ベースバンドチップ３のＣＰＵがメモリ９に格納されているプログラムに従って実行することになる。
【００２２】
図５はベースバンドチップ３におけるＣＰＵのスタートからの処理を表している。まず、初期処理を行う（ステップＳ１）。初期処理には、メモリのクリア、入力装置の初期化、表示装置の初期化などがある。初期化が終了すると、電池チェックのタイマーを起動する（ステップＳ２）。このタイマーは一定時間ごとにイベントを発生させるプログラムであって、メインの処理とは別のタスクとして生成され、メインの処理が電池残量をチェックするタイミングを規定する。
【００２３】
続いて、待ち受け画面を表示し（ステップＳ３）、何らかのイベント発生を待つ（ステップＳ４）。イベントにはキーの入力、着呼、メールの着信、電池チェックタイマーなどがある。イベントが発生した場合には、そのイベントの種類によって処理が分かれることになる。イベントが着呼であったかどうかを判定し（ステップＳ５）、着呼であるときには着呼の処理を行い（ステップＳ９）、ステップＳ３に戻って待ち受け画面を表示する。
【００２４】
ステップＳ５において着呼ではないと判断した場合、イベントがメールの着信であるかどうかを判定する（ステップＳ６）。メールの着信であるときにはメール着信の処理を行い（ステップＳ１０）、ステップＳ３に戻って再び待ち受け画面を表示する。
【００２５】
ステップＳ６においてメールの着信ではないと判断した場合、電池チェックのイベントであるかどうかを判定し（ステップＳ７）、電池チェックであるときにはステップＳ８１（図１０参照）に移る。電池チェックのイベントでなければ、メニューキー８１が押下されたかどうかを判定する（ステップＳ８）。メニューキー８１の押下であると判断した場合、ステップＳ２１の処理に移行し、そうでないと判断した場合は、その他のイベントに対応した処理を行い（ステップＳ１１）、ステップＳ３に戻って待ち受け画面を表示する。
【００２６】
メニューキー８１が押下された場合（ステップＳ８でＹＥＳ）、図４に示したごとく、表示装置６にメインメニューを表示する（ステップＳ２１）。このとき、カーソル６２１はメニューの最初の項目（この例では「１．電話設定」）に位置させる。続いてキーの入力およびその他のイベント発生を待つ（ステップＳ２２）。イベントが発生すると次のステップでイベントの種類を判定することになる。
【００２７】
まず、上向きのカーソル移動キー（ＵＰキー）であるかどうかを判定する（ステップＳ２３）。上向きのカーソル移動キーとは、十字キー８２の上端を押したときに発生するキーコードである。上向きのカーソル移動キーである場合には、まずカーソルがメニューの一番上にあるかどうかを判定する（ステップＳ３１：図７参照）。一番上にあった場合、カーソルを一番下のメニュー項目にセットする（ステップＳ３２）。図４のメインメニューの例では「７．その他」の項目にカーソルをセットする。カーソルが一番上にないと判断された場合（ステップＳ３１でＮＯ）、カーソルの位置を一つ上に動かす（ステップＳ３３）。そして、上向きのカーソル移動キーが入力されたことを記憶して（ステップＳ３４）、ステップＳ５１に処理を移す（図８参照）。
【００２８】
ステップＳ２３で上向きのカーソル移動キーでないと判定した場合、下向きのカーソル移動キー（ＤＯＷＮキー）であるかどうかを判定する（ステップＳ２４）。下向きのカーソル移動キーとは、十字キー８２の下端を押したときに発生するキーコードである。下向きのカーソル移動キーの場合、まず現在のカーソル位置が一番下かどうかを判定する（ステップＳ４１）。一番下にあった場合、カーソルを一番上のメニュー項目にセットする（ステップＳ４２）。図４のメインメニューの例では「１．電話設定」の項目にカーソルをセットする。カーソルが一番下にないと判定された場合（ステップＳ４１でＮＯ）、カーソルを下に一つ動かす（ステップＳ４３）。そして、下向きのカーソル移動キーが入力されたことを記憶して（ステップＳ４４）、ステップＳ５１に処理を移す。
【００２９】
そして、カーソルの位置がＴＶ起動メニュー上にあるかどうかを判定する（ステップＳ５１）。図４のメインメニューの例では「５．ディジタルテレビ」の項目にカーソルがあるかどうかを判定することである。カーソルがＴＶ起動メニュー上になければステップＳ２２に戻って、再びキー入力あるいはイベントの発生を待つ。ステップＳ５１においてカーソルがＴＶの起動メニュー上にあると判定した場合、ＴＶ視聴可否フラグを参照する（ステップＳ５２）。
【００３０】
ＴＶ視聴可否フラグは、ステップＳ２で起動されたタイマーがイベントを発生するたびに電池残量をチェックし、ＴＶ視聴可能かどうかの判定を行ってセットされるものである（図１０参照）。ＴＶ視聴可否フラグがＴＶ視聴不可を示す場合（ステップＳ５３でＮＯ）、ステップＳ３４あるいはステップＳ４４で記憶したキーコードによって、上向きカーソル移動キーが押されていた場合には（ステップＳ５４でＹＥＳ）、ステップＳ３１に処理を移し、下向きカーソル移動キーが押されていた場合には（ステップＳ５４でＮＯ）、ステップＳ４１に処理を移す。かかる処理により、電池残量不足のためにＴＶ視聴ができない状態ではカーソル６２１は「５．ディジタルテレビ」の項目上を通過する処理がなされる。ステップＳ５３においてＴＶ視聴が可と判断できた場合、ステップＳ２２に戻ってキー入力あるいはイベントの発生を待つことになる。
【００３１】
ステップＳ２４で下向きのカーソル移動キーでないと判定した場合、ＯＫキーであるかを判定する（ステップＳ２５）。ＯＫキーとは、十字キー８２の中央を押したときに発生するキーコードである。ＯＫキーの場合には、カーソルが位置しているメニュー項目がＴＶ機動メニューであるかどうかを調べる（ステップＳ６１：図９参照）。メニュー項目がＴＶ起動メニューでない場合は、それぞれのメニュー項目に従った機能を実行し（ステップＳ６２）、ステップＳ３に戻る。カーソルが位置している項目がＴＶ起動メニューの場合は（ステップＳ６１でＹＥＳ）、まずアプリケーションプロセッサ５をアクティブにし（ステップＳ６３）、アプリケーションプロセッサ５に対してＴＶ視聴機能の開始コマンドを通知する（ステップＳ６４）。このコマンドによって、アプリケーションプロセッサ５はＴＶ視聴の処理を開始することになる。アプリケーションプロセッサ５がＴＶ視聴の処理を開始したら、キー入力あるいはその他のイベントの発生を待つ（ステップＳ６５）。そして、それぞれ電源キーの押下、着呼、メールの着信、およびアプリケーションプロセッサ５から送られてくるＴＶ視聴終了イベントのいずれであるかを判定する（ステップＳ６６、ステップＳ６８、ステップＳ７０、ステップＳ７２）。前記のいずれかのイベントが発生していたら、ＴＶ視聴の終了処理を行う（ステップＳ６７、ステップＳ６９、ステップＳ７１、ステップＳ７３）。ＴＶ視聴の終了処理とは、チューナの電源ＯＦＦ、アプリケーションプロセッサ５をスリープモードにすることなどである。終了処理が終了すると、それぞれのイベントごとに、電源キーの押下（ステップＳ６６でＹＥＳ）であればステップＳ３に、着呼（ステップＳ６８でＹＥＳ）であればステップＳ９に、メールの着信（ステップＳ７０でＹＥＳ）であればステップＳ１０に、ＴＶの終了（ステップＳ７２でＹＥＳ）であればステップＳ２１に処理を移す。ステップＳ６６、ステップＳ６８、ステップＳ７０、及びステップＳ７２においてＮＯと判定された場合、電池チェックのイベントかどうかを調べ（ステップＳ７４）、電池チェックであればステップＳ８３に移る。もし電池チェックのイベントでなければ、入力されたキーコード（あるいはイベント）をアプリケーションプロセッサ５に渡し（ステップＳ７５）、ステップＳ６５に戻る。
【００３２】
ステップＳ２５でＯＫキーではないと判定した場合、電源キーまたはＣＬＲキーかどうかの判定（ステップＳ２６）、着呼かどうかの判定（ステップＳ２７）、メール着信かどうかの判定（ステップＳ２８）をそれぞれ行う。各ステップで該当すると判定した場合、電源またはＣＬＲキーが押下された場合（ステップＳ２６でＹＥＳ）はステップＳ３に処理を移し、着呼の場合（ステップＳ２７でＹＥＳ）はステップＳ９に処理を移し、メール着信の場合（ステップＳ２８でＹＥＳ）はステップＳ１０に処理を移す。前記何れにも該当しない場合には、電池チェックイベントかどうかの判定をし（ステップＳ２９）、電池チェックイベントでなければステップＳ２２に戻って、次のキー入力あるいはイベントの発生を待つ。電池チェックのイベントであると判断されれば（ステップＳ２９でＹＥＳ）、ステップＳ８２に移る。
【００３３】
図１０の処理は、電源チェックのイベントが発生したときの処理である。待ち受け画面で電源チェックのイベントが発生して当該処理に移行してきた場合であれば、動作モードを‘１’として記憶する（ステップＳ８１）。メインメニュー画面で電源チェックのイベントが発生して当該処理に移行してきた場合には、動作モードを‘２’として記憶する（ステップＳ８２）。ＴＶ視聴機能を起動した後のキー入力またはイベント待ちの状態で電源チェックのイベントが発生して当該処理に移行してきた場合には、動作モードを‘３’として記憶する（ステップＳ８３）。いずれの場合も、まず電池残量監視装置１１を参照して電池７の残容量を調べる（ステップＳ８４）。そして、調べた電池残量に適した電池残量アイコン６１１を選んで表示する（ステップＳ８５）。
【００３４】
続いてＴＶ動作が可能なだけ電池残量があるかどうかを判定する（ステップＳ８６）。もしＴＶの動作が不可と判定されたら（ステップＳ８７でＮＯ）、ＴＶ受信状態アイコン６１３を電池残量不足表示に変更し（ステップＳ８８：図３（ｄ）参照）、ＴＶ視聴可否フラグを‘ＮＯ’に設定する（ステップＳ８９）。また動作モードを調べ、動作モードが‘３’であれば（ステップＳ９０でＹＥＳ）、ＴＶ視聴中に電池残量不足になったので、ＴＶ視聴の終了処理を行い（ステップＳ９１）、待ち受け画面でのキー入力／イベント待ちのステップＳ３に処理を戻す。
【００３５】
前記ステップＳ８７においてＴＶ視聴が可と判断されれば、ＴＶ視聴可否フラグを‘ＹＥＳ’に設定し（ステップＳ９２）、動作モードに応じて、ステップＳ３、ステップＳ２２、或いはステップ６５に処理を戻す。
【００３６】
なお、上記実施形態では、付加機能がＴＶ視聴機能である場合の電池残容量に基づく制限処理及びメニュー・アイコン変更処理を示したが、付加機能として、記録媒体に基づく動画再生表示機能、ディジタルカメラ機能、ライト機能、無線ＬＡＮ機能などを備える場合において、これら機能の全部又は一部において制限処理やメニュー・アイコン変更処理が行われる構成としてもよいものである。
【図面の簡単な説明】
【００３７】
【図１】この発明の実施形態の携帯型電話装置の構成を示したブロック図である。
【図２】この発明の実施形態の携帯型電話装置の外観を示した説明図である。携帯型受信端末を示したブロック図である。
【図３】同図（ａ）乃至同図（ｄ）はアイコンの変更表示例を示した説明図である。
【図４】同図（ａ）及び同図（ｄ）はメニューの表示変更例を示した説明図である。
【図５】処理内容を示したフローチャートである。
【図６】処理内容を示したフローチャートである。
【図７】処理内容を示したフローチャートである。
【図８】処理内容を示したフローチャートである。
【図９】処理内容を示したフローチャートである。
【図１０】処理内容を示したフローチャートである。
【符号の説明】
【００３８】
３    ベースバンドチップ（ＢＢ）
４    チューナ
５    アプリケーションプロセッサ（ＡＰＰ）
６    表示装置
７    電池
８    電池残量監視装置
【図１】
2005151117.tif 000003
【図２】
2005151117.tif 000004
【図３】
2005151117.tif 000005
【図４】
2005151117.tif 000006
【図５】
2005151117.tif 000007
【図６】
2005151117.tif 000008
【図７】
2005151117.tif 000009
【図８】
2005151117.tif 000010
【図９】
2005151117.tif 000011
【図１０】
2005151117.tif 000012